(57)【要約】【課題】  撮影時にダイナミックレンジ圧縮の効果のある画像データをデジタルカメラ自身が選出し、ダイナミックレンジ圧縮を行なうことを可能にする。【解決手段】  ダイナミックレンジ圧縮機能を持つデジタルカメラにおいて、ダイナミックレンジ圧縮機能が有効に機能する場合に限って、ダイナミックレンジ圧縮を行なう。特に閃光の発光設定や閃光の発光状態に応じて、ダイナミックレンジ圧縮をオンさせる。例えば、閃光発光時の周辺輝度に応じてダイナミックレンジ圧縮のオン／オフを制御し、圧縮レベルを決定する。また、モニタ発光した際の反射光に応じて、ダイナミックレンジ圧縮のオン／オフを制御し、圧縮レベルを決定する。【選択図】  図１
2006197081.tif 000002
【特許請求の範囲】
【請求項１】
ダイナミックレンジ圧縮機能を持つデジタルカメラにおいて、
前記ダイナミックレンジ圧縮機能が撮影した画像に有効に作用するか否かを判断する判断手段と、
前記判断手段が撮影した画像に有効に作用すると判断した場合に限って前記ダイナミックレンジ圧縮を実行し、撮影した画像に有効に作用しないと判断した場合には通常のルックアップテーブルに基づく画像処理を行う画像処理手段と
を有することを特徴とするダイナミックレンジ圧縮機能を持つデジタルカメラ。
【請求項２】
請求項１記載のダイナミックレンジ圧縮機能を持つデジタルカメラにおいて、
前記判断手段は、閃光発光時に被写体の周辺輝度に基づいて前記ダイナミックレンジ圧縮を行うか否かを判断することを特徴とするダイナミックレンジ圧縮機能を持つデジタルカメラ。
【請求項３】
請求項１記載のダイナミックレンジ圧縮機能を有するデジタルカメラにおいて、
前記判断手段が閃光発光時に被写体の周辺輝度に基づいて前記ダイナミックレンジ圧縮を行うと判断した場合、前記閃光発光時に被写体の周辺輝度に基づいて前記ダイナミックレンジ圧縮のレベルを定めることを特徴とするダイナミックレンジ圧縮機能を持つデジタルカメラ。
【請求項４】
請求項１記載のダイナミックレンジ圧縮機能を有するデジタルカメラにおいて、
前記判断手段は、モニタ閃光発光時における反射光に基づいて、前記ダイナミックレンジ圧縮を行うか否かを判断することを特徴とするダイナミックレンジ圧縮機能を持つデジタルカメラ。
【請求項５】
請求項１記載のダイナミックレンジ圧縮機能を有するデジタルカメラにおいて、
前記判断手段がモニタ閃光発光時における反射光に基づいて前記ダイナミックレンジ圧縮を行うと判断した場合、前記モニタ閃光発光時における反射光に基づいて前記ダイナミックレンジ圧縮のレベルを定めることを特徴とするダイナミックレンジ圧縮機能を持つデジタルカメラ。
【請求項６】
請求項１記載のダイナミックレンジ圧縮機能を有するデジタルカメラにおいて、
前記判断手段は閃光発光のモードがスローシンクロに設定されているとき前記ダイナミックレンジ圧縮が画像に有効に作用すると判断し、
前記画像処理手段は前記ダイナミックレンジ圧縮を実行することを特徴とするダイナミックレンジ圧縮機能を持つデジタルカメラ。
【請求項７】
請求項１記載のダイナミックレンジ圧縮機能を有するデジタルカメラにおいて、
前記判断手段は閃光発光のモードが赤目防止に設定されているとき前記ダイナミックレンジ圧縮が画像に有効に作用すると判断し、
前記画像処理手段は前記ダイナミックレンジ圧縮を実行することを特徴とするダイナミックレンジ圧縮機能を持つデジタルカメラ。
【請求項８】
請求項７記載のダイナミックレンジ圧縮機能を有するデジタルカメラにおいて、
前記画像処理手段は、前記赤目防止における閃光発光量があらかじめ定められた発光量よりも大きい場合に限って、前記ダイナミックレンジ圧縮を実行することを特徴とするダイナミックレンジ圧縮機能を持つデジタルカメラ。
【請求項９】
請求項１乃至請求項８の何れか一つに記載のダイナミックレンジ圧縮機能を持つデジタルカメラにおいて、
撮影時のＲＡＷデータに基づいてダイナミックレンジ圧縮を行うことを特徴とするダイナミックレンジ圧縮機能を持つデジタルカメラ。
【発明の詳細な説明】
【技術分野】
【０００１】
本発明は、ダイナミックレンジ圧縮機能を有するデジタルカメラに関するものであり、特に閃光発光の状態等に応じて自動的にダイナミックレンジ圧縮機能をオン／オフさせたり、ダイナミックレンジ圧縮のレベルを変化させ、ユーザの判断に頼ることなく、ダイナミックレンジ圧縮の可否等を判定して撮影するのに適したデジタルカメラに関する。
【背景技術】
【０００２】
デジタルカメラの撮像手段（ＣＣＤ等）は、レンズを通して得た像をアナログ信号として出力し、前記アナログ信号はＡ／Ｄ変換部により例えば１画素１２ｂｉｔの画像データに変換される。前記１２ｂｉｔの画像データは画像処理部に入力され、ホワイトバランス処理やガンマ処理等を施され、８ｂｉｔのＪＰＥＧやＴＩＦＦ等のデータに変換され、記録部（メモリカード）に記録され、液晶等の表示部に表示される。
【０００３】
また、従来技術においては、例えば前記１２ビット（４０９６）を横軸、各画素の輝度（２５６階調）を縦軸にして作成したヒストグラムに基づいて、あらかじめデジタルカメラに複数種類準備されたガンマ曲線から最も有効と判定された一つのガンマ曲線を選択し、ガンマ処理を施したり、ＩＳＯ感度アップ処理を行うことにより、最適なＪＰＥＧ画像等を得ることが行われている（特許文献１参照）。
【０００４】
また、デジタルカメラでダイナミックレンジ圧縮を行う場合は、ユーザがダイナミックレンジ圧縮を行うか否かを独自に設定するか、又はカメラの撮影モードによりダイナミックレンジ圧縮のレベルが一律に決められていた。しかし、ダイナミックレンジ圧縮が有効な画像とダイナミックレンジ圧縮が有効でない画像とが混在している場合もあり、ダイナミックレンジ圧縮が有効でない画像についてもダイナミックレンジ圧縮を行うことがあった。
【０００５】
また、ダイナミックレンジ圧縮は、デジタルカメラの場合、すでに入力としてＪＰＥＧ等の画像が存在している状態において行われる。したがって、例えば輝度の低い領域においては、すでにガンマ処理等が施されているため、撮像素子（例えばＣＣＤ）の暗電流等が増幅されノイズの多い状態の画像になっている。このような画像に対して、さらにダイナミックレンジ圧縮をかけると、階調の有効利用を高めることは可能になるが、見た目にノイズの多い画像になることが多々あった（特許文献２参照）。
【０００６】
なお、デジタルカメラにおいて、ダイナミックレンジ圧縮とは、具体的に次のような処理をいう。すなわち、横軸に輝度の階調（２５６）、縦軸に輝度の発生頻度（累積画素数）をプロットしたとき、例えば横軸に１２９階調以上の輝度が存在しないような場合、２５６階調のうちの半分（１２８階調）が利用されずに無駄になる。そこで、このような場合、輝度が存在しない高輝度部分の１２８階調を圧縮し、輝度が存在している低輝度部分に階調を多く割り当て、画像の輝度を平均化するものである。これにより、輝度が平均化された画像が得られる。
【特許文献１】特開２００１−３３９６３６号公報
【特許文献２】特開平１１−１９１８７１号公報
【発明の開示】
【発明が解決しようとする課題】
【０００７】
従来技術においては、ダイナミックレンジ圧縮を行うか否かをユーザが決定するという方法が主であった。このため、ユーザは、どのような状態においてダイナミックレンジ圧縮が有効であるか否かを認識しなければならないという問題点があった。
また、画像のヒストグラムを見ることにより、ダイナミックレンジ圧縮の可否及びダイナミックレンジ圧縮のレベルを決める旨の技術もすでに存在しているが、これらの技術もユーザがダイナミックレンジ圧縮をかけるか否かの判断を行わなければならないという問題点があった。
【０００８】
さらに、前記のいずれの場合も、撮影後の操作であり、すでにＪＰＥＧ／ＴＩＦＦなどの画像ファイル形式になっている状態でダイナミックレンジ圧縮が行われる。このため、元画像が、高ＩＳＯ感度で撮影されていたり、ガンマ処理が強くかかっているような画像ではノイズ量が非常に多くなるという問題点があった。
本発明は、前記した従来技術の問題点に鑑みなされたもので、ユーザの手を煩わせることなく、撮影時にダイナミックレンジ圧縮の効果のある画像データをデジタルカメラ自身が選出し、デジタルカメラ内でダイナミックレンジ処理を行うことを可能にするダイナミックレンジ圧縮機能を持つデジタルカメラを提供することを目的とする。
【課題を解決するための手段】
【０００９】
請求項１記載のダイナミックレンジ圧縮機能を持つデジタルカメラは、ダイナミックレンジ圧縮機能を持つデジタルカメラにおいて、前記ダイナミックレンジ圧縮機能が撮影した画像に有効に作用するか否かを判断する判断手段と、前記判断手段が撮影した画像に有効に作用すると判断した場合に限って前記ダイナミックレンジ圧縮を実行し、撮影した画像に有効に作用しないと判断した場合には通常のルックアップテーブルに基づく画像処理を行う画像処理手段とを有することを特徴とする。
【００１０】
請求項１記載の発明によれば、判断手段によりダイナミックレンジ圧縮が有効とされる画像に対してのみ、ダイナミックレンジ圧縮が行われる。
請求項２記載のダイナミックレンジ圧縮機能を持つデジタルカメラは、請求項１記載のダイナミックレンジ圧縮機能を持つデジタルカメラにおいて、前記判断手段は、閃光発光時に被写体の周辺輝度に基づいて前記ダイナミックレンジ圧縮を行うか否かを判断することを特徴とする。
【００１１】
請求項２記載の発明によれば、閃光発光時に被写体の周辺輝度に基づいて、ダイナミックレンジ圧縮を行うか否かが判断される。
請求項３記載のダイナミックレンジ圧縮機能を持つデジタルカメラは、請求項１記載のダイナミックレンジ圧縮機能を有するデジタルカメラにおいて、前記判断手段が閃光発光時に被写体の周辺輝度に基づいて前記ダイナミックレンジ圧縮を行うと判断した場合、前記閃光発光時に被写体の周辺輝度に基づいて前記ダイナミックレンジ圧縮のレベルを定めることを特徴とする。
【００１２】
請求項３記載の発明によれば、閃光発光時における被写体の周辺輝度に基づいて、ダイナミックレンジ圧縮のレベルが定められる。
請求項４記載のダイナミックレンジ圧縮機能を持つデジタルカメラは、請求項１記載のダイナミックレンジ圧縮機能を有するデジタルカメラにおいて、前記判断手段は、モニタ閃光発光時における反射光に基づいて、前記ダイナミックレンジ圧縮を行うか否かを判断することを特徴とする。
【００１３】
請求項４記載の発明によれば、モニタ閃光発光時における反射光に基づいて、ダイナミックレンジ圧縮を行うか否かが判断される。
請求項５記載のダイナミックレンジ圧縮機能を持つデジタルカメラは、請求項１記載のダイナミックレンジ圧縮機能を有するデジタルカメラにおいて、前記判断手段がモニタ閃光発光時における反射光に基づいて前記ダイナミックレンジ圧縮を行うと判断した場合、前記モニタ閃光発光時における反射光に基づいて前記ダイナミックレンジ圧縮のレベルを定めることを特徴とする。
【００１４】
請求項５記載の発明によれば、モニタ閃光発光時における反射光に基づいて、ダイナミックレンジ圧縮のレベルが定められる。
請求項６記載のダイナミックレンジ圧縮機能を持つデジタルカメラは、請求項１記載のダイナミックレンジ圧縮機能を有するデジタルカメラにおいて、前記判断手段は閃光発光のモードがスローシンクロに設定されているとき前記ダイナミックレンジ圧縮が画像に有効に作用すると判断し、前記画像処理手段は前記ダイナミックレンジ圧縮を実行することを特徴とする。
【００１５】
請求項６記載の発明によれば、閃光発光のモードがスローシンクロに設定されているとき、ダイナミックレンジ圧縮が実行される。
請求項７記載のダイナミックレンジ圧縮機能を持つデジタルカメラは、請求項１記載のダイナミックレンジ圧縮機能を有するデジタルカメラにおいて、前記判断手段は閃光発光のモードが赤目防止に設定されているとき前記ダイナミックレンジ圧縮が画像に有効に作用すると判断し、前記画像処理手段は前記ダイナミックレンジ圧縮を実行することを特徴とする。
【００１６】
請求項７記載の発明によれば、閃光発光のモードが赤目防止に設定されているとき、ダイナミックレンジ圧縮が実行される。
請求項８記載のダイナミックレンジ圧縮機能を持つデジタルカメラは、請求項７記載のダイナミックレンジ圧縮機能を有するデジタルカメラにおいて、前記画像処理手段は、前記赤目防止における閃光発光量があらかじめ定められた発光量よりも大きい場合に限って、前記ダイナミックレンジ圧縮を実行することを特徴とする。
【００１７】
請求項８記載の発明によれば、赤目防止における閃光発光量があらかじめ定められた発光量よりも大きい場合に限って、ダイナミックレンジ圧縮が実行される。
請求項９記載の発明によれば、請求項１乃至請求項８の何れか一つに記載のダイナミックレンジ圧縮機能を持つデジタルカメラにおいて、撮影時のＲＡＷデータに基づいてダイナミックレンジ圧縮を行うことを特徴とする。
【００１８】
請求項９に記載の発明によれば、ＲＡＷデータに基づいてダイナミックレンジ圧縮が行われる。
【発明の効果】
【００１９】
本発明によれば、撮影時にダイナミックレンジ圧縮の効果のある画像データをデジタルカメラ自身が選出し、デジタルカメラ内でダイナミックレンジ処理を行うことを可能にするダイナミックレンジ圧縮機能を持つデジタルカメラを提供することができる。
また、撮影時にダイナミックレンジ圧縮を行うので、感度、コントラストなどと合わせて設定することができる。加えて、例えば１２ｂｉｔのＲＡＷデータからダイナミックレンジ圧縮が行われるため、８ｂｉｔのＪＰＥＧ等の画像に変換する際に桁落ちが少なくてすむ。このことから、高画質でかつ階調表現の優れた画像を得ることができる。
【００２０】
また、ダイナミックレンジ圧縮が有効ではない画像に対しては、ダイナミックレンジ圧縮を行わないため、全体の処理時間を短縮することができる。
【発明を実施するための最良の形態】
【００２１】
以下、添付の図面により、本発明の実施形態について説明する。
図１は、本発明が適用されるデジタルカメラの構成を示すブロック図である。
図１において、１はレンズ、２はＣＣＤ、３はＡ／Ｄ変換部（例えばアナログ信号を１２ｂｉｔのデジタルデータに変換）、４は画像処理部（ダイナミックレンジ圧縮の実行、ガンマ処理を行うためのルックアップテーブル（ＬＵＴ）、１２ｂｉｔのＲＡＷデータを８ｂｉｔのＪＰＥＧ等に変換する画像処理）、５は画像の記録部（メモリカード）、６は液晶等による画像の表示部、７はデジタルカメラ全体を制御するシステム制御部、８はシステム制御部７を動作させるためのプログラム（ファームウェア等）を格納しているＲＯＭ、９は電源のオン／オフ、シャッタの半押し、全押し、閃光発光モード等の設定を行う操作スイッチ、１０はシステム制御部７から出力される発光制御にしたがって発光を行う閃光発光部である。
【００２２】
システム制御部７は、被写体の周辺輝度を確認したり、撮影時のＩＳＯ感度を設定する。また、システム制御部７はこれらの情報を画像処理部４に送信し、画像処理部４はダイナミックレンジ圧縮（図中、ＤＲＣと記載する）やルックアップテーブル処理を行う際に、これらの情報を活用する。
ここで、請求項に記載する判断手段は主にシステム制御部７に相当し、請求項に記載する画像処理手段は画像処理部４に相当する。
【００２３】
また、図１に示すデジタルカメラの構成を示すブロック図は、以後に説明する第１の実施形態〜第４の実施形態において適用される。
（第１の実施形態）
第１の実施形態は、閃光発光時の周辺輝度に応じて、ダイナミックレンジ圧縮のオン／オフを切り換えるものである。この実施形態は、請求項１、２、３、９に対応する。
【００２４】
ＣＣＤ２（撮像素子）を通して得られた画像が閃光発光輝度で、かつユーザの閃光発光設定がオンの場合は、背景が暗く、手前にある被写体（人物）が明るめに撮影されることが多い。
図２は、このような状態で撮影された画像の一例を示す図である。図中、±０、−８、−１０等は露出を数値で表現したもの（段数）である。被写体である人物は段数±０、背景は段数−８、−１０である。図１に示すような画像はダイナミックレンジが広いため、ダイナミックレンジ圧縮が有効な画像であるといえる。
【００２５】
逆に、撮像素子（ＣＣＤ２）を通して得られた画像が日中シンクロ（閃光発光輝度よりも高い輝度）に適した画像の場合には、背景が明るく、手前にある被写体（人物）が影になっている逆光状態であることが多い。図３は、このような逆光状態において、日中シンクロを用いて撮影した画像の一例を示す図である。この場合には、影になっている被写体（人物）が閃光発光の照射により明るく（±０）なるため、背景の明るさ（−１、＋１）との差が縮まり、ダイナミックレンジが比較的狭くなることが多い。
【００２６】
このような特徴を踏まえ、閃光発光時の周辺輝度によりダイナミックレンジ圧縮のオン／オフを切り換える。また、オン／オフだけでなく、ダイナミックレンジ圧縮のレベルを変えてもよい。
また、周辺輝度が低くなればなるほど、ダイナミックレンジ圧縮を強くかけるようにするとよい。
【００２７】
また、ガイドナンバの算出においては、ダイナミックレンジ圧縮がオンになる場合（この場合でいうと周辺輝度が低い場合）、撮影時のＩＳＯ感度を最低感度に固定する。
ダイナミックレンジ圧縮がオフ設定され、算出されたガイドナンバが設定可能範囲を超えた場合には、ＩＳＯ感度を高めて見かけ上のガイドナンバを大きくする。これは、ダイナミックレンジ圧縮がノイズ（ＣＣＤ２の暗電流等）までも増幅するという性質があるためである。ＩＳＯ感度は高感度になればなるほどノイズが大きくなるため、高ＩＳＯ感度で撮影された画像はダイナミックレンジ圧縮を行うと、撮影の際に発生した大量のノイズをさらに増幅してしまう。ＩＳＯ感度が低い状態で撮影すれば、ノイズを抑えることができるため、ダイナミックレンジ圧縮を行っても、高感度撮影した画像と比べてもノイズが少なくてすむ。
【００２８】
次に、図４に示すフローチャートを用いて、閃光発光時の周辺輝度に応じて、ダイナミックレンジ圧縮のオン／オフを切り換える処理について説明する。
ステップＳ１１において、操作スイッチ９が半押しされると、システム制御部７は画像処理部４（又は閃光発光部１０）に自動露出（Automatic Exposure）のための測光を指示する。
【００２９】
ステップＳ１２において、システム制御部７は閃光の発光判定を行う。ステップＳ１２において、閃光発光を行うと判定された場合にはステップＳ１３に進み、閃光発光を行わないと判定された場合にはステップＳ２８に進む。ここでは、閃光発光を行うと判定されたと仮定して、ステップＳ１３に進む。なお、補足すると、閃光発光の発光判定は、例えば周辺輝度とユーザの発光開始設定値との比較により決定される。
【００３０】
ステップＳ１３において、システム制御部７は画像処理部４に対して周辺輝度取得を指示する。周辺輝度取得は、例えば画像を複数のエリアに分轄して、各エリアの平均輝度を取得することにより行う。
ステップＳ１４において、システム制御部７が被写体の周辺輝度を低い（暗い）と判断した場合（閃光発光の自動発光判定がオンになる明るさ）、ステップＳ１６に進み、撮影時におけるダイナミックレンジ圧縮処理（図中、ＤＲＣと記載）をオンにする。ステップＳ１４において、システム制御部７が被写体の周辺輝度を高い（明るい）と判断した場合、ステップＳ１５に進み、撮影時におけるダイナミックレンジ圧縮処理（図中、ＤＲＣと記載）をオフにする。
【００３１】
ここで、周辺輝度の明るさに応じて、ダイナミックレンジ圧縮のレベルを変化させるように構成してもよい。
ステップＳ１７において操作スイッチ９が全押しされると、システム制御部７は閃光発光部１０対してモニタ発光の指示を出し、ステップＳ１８において閃光発光部１０はモニタ発光を行う。
【００３２】
ステップＳ１９において、システム制御部７は前記モニタ発光に基づく評価値を画像処理部４から取得する。ここで、評価値とは、反射光輝度等のデータである。
ステップＳ２０において、ダイナミックレンジ圧縮のオン／オフが判定される。ダイナミックレンジ圧縮がオンと判定された場合にはステップＳ２１に進み、ダイナミックレンジ圧縮がオフと判定された場合にはステップＳ２２に進む。
【００３３】
ステップＳ２１、２２では、本発光の際のガイドナンバを求める。
ステップＳ２１においては、ダイナミックレンジ圧縮がオンに設定されているので、最低ＩＳＯ感度を基準にしてガイドナンバを算出する。
ステップＳ２２においては、ダイナミックレンジ圧縮がオフに設定されているため、ガイドナンバを算出した結果、ガイドナンバの設定可能範囲を超えたときには、ＩＳＯ感度による補正を行う。
【００３４】
次に、ステップＳ２３において本発光、撮影が行われる。
ステップＳ２４において、本発光に基づく画像データ（１２ｂｉｔ）がＣＣＤ２から取り込まれる。
ステップＳ２５において、ダイナミックレンジ圧縮のオン／オフが判定される。ダイナミックレンジ圧縮がオンと判定された場合にはステップＳ２６に進み、ダイナミックレンジ圧縮がオフと判定された場合にはステップＳ２７に進む。
【００３５】
ステップＳ２６では、ダイナミックレンジ圧縮がオンであるため、画像処理部４はダイナミックレンジ圧縮により階調処理を行い、１２ｂｉｔから８ｂｉｔへの変換を行う。
ステップＳ２７では、ダイナミックレンジ圧縮がオフであるため、画像処理部４はダイナミックレンジ圧縮を行うことなく、通常のＬＵＴによる階調処理により、１２ｂｉｔから８ｂｉｔへの変換を行う。ステップＳ２６又はステップＳ２７における画像処理が終了すると、当該画像を記録部５に格納し、又は表示部６に表示して終了する。
【００３６】
なお、ステップＳ１２において、閃光発光しないと判定された場合には、ステップＳ２８においてダイナミックレンジ圧縮をオフに設定し、ステップＳ２９において操作スイッチ９が全押しされたとき、ステップＳ３０において撮影が実行される。以後の動作は、ステップＳ２４〜ステップＳ２７と同様である。
第１の実施形態において、具体例を挙げると、例えば普通に撮影すれば図５に示す画像（非発光）になるが、本実施形態によれば図３に示す画像（閃光発光）を得ることができる（ダイナミック圧縮を行わない例）。
【００３７】
また、普通に撮影すれば図２に示す画像（閃光発光）になるが、本実施形態によれば図６に示す画像（背景が鮮明になる）を得ることができる（ダイナミック圧縮を行った例）。
なお、第１の実施形態によれば、ダイナミックレンジ圧縮が１２ｂｉｔのＲＡＷデータに対して施されるため、８ビットのＪＰＥＧデータ等に施される場合よりも桁落ちが少ない。このため、色抜け等の不具合が発生することなく、高画質でかつ階調表現の優れた画像を得ることができる。これは、以下に説明する第２〜第４の実施形態においても同様である。
（第２の実施形態）
第２の実施形態は、閃光撮影時において、モニタ発光の結果からダイナミックレンジ圧縮のオン／オフを切り換えるものである。この実施形態は、請求項１、４、５、９に対応する。
【００３８】
具体的には、操作スイッチ９が全押しされると、閃光発光部１０はモニタ発光を行う。システム制御部７は、モニタ発光の反射光の結果（輝度等）を評価して、撮影しようとする画像の特徴を捉える。このとき、反射光がない、もしくは非常に少ない場合、被写体が遠くにある可能性がある。図７は、このような状況を示す説明図である。
この場合、本発光のガイドナンバを算出し、算出した結果が発光可能ガイドナンバを超えた大きなガイドナンバである場合は、発光しても閃光は届かないため、ダイナミックレンジ圧縮をオンにする。なお、このときの撮影は、感度は最低ＩＳＯ感度、ガイドナンバは最大ガイドナンバで行う。
【００３９】
第１の実施形態と同様の理由より、これにより撮影された画像は図８のようになる。
また、第２の実施形態は、第１の実施形態とは独立に行われ、並行して実行するものではない。
（第３の実施形態）
第３の実施形態は、スローシンクロ設定により、ダイナミックレンジ圧縮のオン／オフを切り換えるものである。この実施形態は、請求項１、６、９に対応する。
【００４０】
閃光発光部１０がスローシンクロに設定されていた場合、自動的にダイナミックレンジ圧縮をオンに設定する。
スローシンクロとは、被写体と背景の両方の明るさを調節して撮影しようというものであるが、低輝度時に背景を出そうとすると、どうしてもシャッタ秒時が伸びるため、手ぶれしやすい。しかし、ダイナミックレンジ圧縮技術を使用すると、通常の閃光発光と同じ程度の早いシャッタ秒時でも、スローシンクロ撮影のような背景の鮮明になった画像を得ることができる。例えば、図６、図８のような画像が得られる。
【００４１】
なお、このときの撮影は、感度を最低ＩＳＯ感度にして行う。これは、第１の実施形態と同様の理由である。
図９は、第３の実施形態の動作を示すフローチャートである。図４に示す第１の実施形態のフローチャートと相違点は以下の通りである。すなわち、図４のステップＳ１４においては、周辺輝度が高いか否かでダイナミックレンジ圧縮のオン／オフを決めているのに対し、図９のステップＳ３４においては、スローシンクロが設定されているか否かでダイナミックレンジ圧縮のオン／オフを決めている点である。
（第４の実施形態）
第４の実施形態は、赤目防止設定によりダイナミックレンジ圧縮のオン／オフを切り換えるものである。この実施形態は、請求項１、７、８、９に対応する。
【００４２】
操作スイッチ９により、赤目防止設定がなされているときは、ダイナミックレンジ圧縮をオンにする。赤目は発光量が大きければ大きいほど発生しやすくなるため、できるだけ発光量を小さくした方が赤目は発生しにくい。
しかし、発光量が小さいと被写体に光が行き届かず暗い画像が撮影されてしまうため、ダイナミックレンジ圧縮を使用して被写体を明るく撮影するものである。
【００４３】
ダイナミックレンジ圧縮を前記用途に使用をする場合、計算によりリミットのガイドナンバを求め、それ以上の発光量になる場合に限って使用すればよい。なぜならば、算出された適性発光量がもともと小発光であれば赤目になりにくいため、ダイナミックレンジ圧縮の必要はないからである。なお、このときの撮影は、感度を最低ＩＳＯ感度に設定して行う。これは、第１の実施形態と同様の理由である。
【００４４】
図１０は、第４の実施形態の動作を示すフローチャートである。図４に示す第１の実施形態のフローチャートと相違点は以下の通りである。
第１に、図４のステップＳ１４においては、周辺輝度が高いか否かでダイナミックレンジ圧縮のオン／オフを決めているのに対し、図１０のステップＳ４４においては、赤目軽減が設定されているか否かでダイナミックレンジ圧縮のオン／オフを決めている点である。
【００４５】
第２に、図４のステップＳ２１においては、最低ＩＳＯ感度に固定してガイドナンバを算出した後、直ちに本発光の撮影を行っている。しかし、図９のステップＳ４５〜Ｓ４７に示すように、最低ＩＳＯ感度に固定してガイドナンバ（図中、ＧＮと記載する）を算出した後、算出されたガイドナンバがガイドナンバのリミットを超えているか否かを判定し、超えていない場合には算出されたガイドナンバで本発光させ、超えている場合には前記リミットのガイドナンバで本発光させている。
【産業上の利用可能性】
【００４６】
本発明は、デジタルカメラの分野において、大いに利用することができる。
【図面の簡単な説明】
【００４７】
【図１】本発明が適用されるデジタルカメラの構成を示すブロック図である。
【図２】撮影された画像の一例を示す図である。
【図３】撮影された画像の一例を示す図である。
【図４】第１の実施形態の動作を示すフローチャートである。
【図５】撮影された画像の一例を示す図である。
【図６】撮影された画像の一例を示す図である。
【図７】被写体が遠くにある可能性がある状況を示す説明図である。
【図８】撮影された画像の一例を示す図である。
【図９】第３の実施形態の動作を示すフローチャートである。
【図１０】第４の実施形態の動作を示すフローチャートである。
【符号の説明】
【００４８】
１  レンズ
２  ＣＣＤ
３  Ａ／Ｄ変換部
４  画像処理部
５  記録部（メモリカード）
６  液晶等の表示部
７  ＲＯＭ
９  操作スイッチ
１０  閃光発光部
【図１】
2006197081.tif 000003
【図２】
2006197081.tif 000004
【図３】
2006197081.tif 000005
【図４】
2006197081.tif 000006
【図５】
2006197081.tif 000007
【図６】
2006197081.tif 000008
【図７】
2006197081.tif 000009
【図８】
2006197081.tif 000010
【図９】
2006197081.tif 000011
【図１０】
2006197081.tif 000012